(57)【要約】      （修正有）【課題】熱交換効率の低減を抑制し、熱交換性能を向上させることができる熱交換器を提供する。【解決手段】熱交換器は、複数の冷媒管４０と、冷媒用ヘッダ４１，４２と、複数の水管５０と、水用ヘッダ５１，５２と、を備える。冷媒用ヘッダ４１，４２は、複数の冷媒管４０の両端に接続されて、冷媒を集合させる。水用ヘッダ５１，５２は、複数の水管５０の両端に接続されて、水を集合させる。熱交換器は、接合領域と非接合領域とを含む。接合領域は、冷媒管４０および水管５０が、冷媒用ヘッダ４１，４２および水用ヘッダ５１，５２が延びる方向に沿って積層された状態で接合され、冷媒管４０を流れる冷媒と水管５０を流れる水との間で熱交換を促進させる。非接合領域は、冷媒管４０と水管５０とが積層されず、冷媒管４０を流れる冷媒と水管５０を流れる水との間で熱交換を抑制する。非接合領域は、接合領域の間に配置される。【選択図】図３
2015121363.tif 000002
【特許請求の範囲】
【請求項１】
冷媒を通す冷媒流路（４０ａ）を有し、前記冷媒流路が長手方向に延びる複数の冷媒管（４０）と、
前記複数の冷媒管の両端に接続されて、前記冷媒を集合させる冷媒用ヘッダ（４１，４２）と、
水を通す水流路（ｐ１）を有し、前記水流路が長手方向に延びる複数の水管（５０）と、
前記複数の水管の両端に接続されて、前記水を集合させる水用ヘッダ（５１，５２）と、
を備え、
前記複数の冷媒管と、前記複数の水管のうちの一つの水管または前記複数の水管とが、前記冷媒用ヘッダおよび前記水用ヘッダが延びる方向に沿って積層された状態で接合され、前記複数の冷媒管を流れる前記冷媒と、前記一つの水管または前記複数の水管を流れる前記水との間で熱交換を促進させる複数の接合領域（ＣＲ１〜ＣＲ３）と、
前記複数の冷媒管と前記複数の水管とが積層されず、前記複数の冷媒管を流れる前記冷媒と前記複数の水管を流れる前記水との間で熱交換を抑制する非接合領域（ＮＣＲ１，ＮＣＲ２）と、
を含み、
前記複数の接合領域は、
前記冷媒が第１の方向に流れ、前記水が前記第１の方向または前記第１の方向に対向する第２の方向に流れる第１の接合領域（ＣＲ１，ＣＲ３）と、
前記冷媒が前記第２の方向に流れ、前記水が前記第１の接合領域に流れる前記水と反対の方向に流れる第２の接合領域（ＣＲ２）と、
を有し、
前記非接合領域（ＮＣＲ１，ＮＣＲ２）は、前記第１の接合領域と前記第２の接合領域との間に配置される、
熱交換器。
【請求項２】
前記冷媒用ヘッダは、
前記複数の冷媒管が積層される積層方向に延びる筒状部材であり、
前記積層方向における端部に前記冷媒の出入口を構成する出入口部（４１ｂ，４２ｂ）を有し、
前記複数の接合領域は、
前記出入口部の近傍に位置する前記第１の接合領域と、
前記積層方向において、前記第１の接合領域の近傍に位置する第２の接合領域と
を含む、
請求項１に記載の熱交換器。
【請求項３】
前記第１の接合領域は、過冷却域あるいは過熱域の前記冷媒が流れる前記複数の冷媒管が、前記一つの水管または前記複数の水管と接合される領域であり、
前記第２の接合領域は、二相域の前記冷媒が流れる前記複数の冷媒管が、前記一つの水管または前記複数の水管と接合される領域である、
請求項２に記載の熱交換器。
【請求項４】
前記非接合領域は、前記第１の接合領域と、前記第２の接合領域との間に隙間を形成するための領域である、
請求項２または３に記載の熱交換器。
【請求項５】
前記冷媒は、Ｒ３２冷媒である、
請求項１から４のいずれかに記載の熱交換器。
【請求項６】
請求項１から５のいずれかに記載の熱交換器を用いて温水を作る、
給湯装置または暖房装置。
【発明の詳細な説明】
【技術分野】
【０００１】
本発明は、熱交換器に関する。
【背景技術】
【０００２】
従来、ヒートポンプ式給湯装置では、冷媒回路において、例えば、水と、冷媒（例えば、ＣＯ2冷媒）との間で熱交換を行わせる熱交換器が利用されている。例えば、特許文献１（特開２０１２−２０２６０８号公報）には、熱交換器として、プレート型熱交換器が記載されている。プレート型熱交換器では、水を通すための扁平管（水管）と、冷媒を通すための扁平管（冷媒管）とを接触させて、水と冷媒との間で熱交換させる。具体的に、プレート型熱交換器は、複数の冷媒管および複数の水管が、隣接する態様で交互に積層されている。
【発明の概要】
【発明が解決しようとする課題】
【０００３】
ところで、熱交換器は、冷媒管を流れる冷媒を集合させるヘッダを備える。ヘッダの内部には、冷媒を集合させるための複数の集合空間が形成されている。複数の集合空間は、ヘッダの長手方向に沿って配置されている。冷媒管を流れる冷媒は、第１の方向に流れて第１の集合空間で集合すると、その後、流れ方向を変化させて、第１の方向に対向する第２の方向に流れる。冷媒は、第２の集合空間に向かって移動し、第２の集合空間で集合する。第１の集合空間に送られる冷媒を通す冷媒管は、隣接する水管の内部を流れる水と熱交換する。冷媒管と水管とは積層されているため、冷媒管の熱は、隣接する二つの水管に伝導される。
【０００４】
ここで、冷媒管に隣接する二つの水管の両方が、同一の方向に流れる水を通す水管である場合には、冷媒管を流れる冷媒と、水管を流れる水との間で好適に熱交換が行われる。しかし、冷媒管に隣接する二つの水管を流れる水の方向が異なる場合、一方の水管を流れる水との熱交換が、他方の水管を流れる水との熱交換に影響を与える。その結果、熱交換器の熱交換性能が低下する。
【０００５】
本発明の課題は、熱交換効率の低減を抑制し、熱交換性能を向上させることができる熱交換器を提供することにある。
【課題を解決するための手段】
【０００６】
本発明の第１観点に係る熱交換器は、複数の冷媒管と、冷媒用ヘッダと、複数の水管と、水用ヘッダと、を備える。複数の冷媒管は、冷媒を通す冷媒流路を有し、冷媒流路が長手方向に延びる。冷媒用ヘッダは、複数の冷媒管の両端に接続されて、冷媒を集合させる。複数の水管は、水を通す水流路を有し、水流路が長手方向に延びる。水用ヘッダは、複数の水管の両端に接続されて、水を集合させる。熱交換器は、複数の接合領域と非接合領域とを含む。接合領域は、複数の冷媒管と、複数の水管のうちの一つの水管または複数の水管が、冷媒用ヘッダおよび水用ヘッダが延びる方向に沿って積層された状態で接合され、複数の冷媒管を流れる冷媒と一つの水管または複数の水管を流れる水との間で熱交換を促進させる。非接合領域は、複数の冷媒管と複数の水管とが積層されず、複数の冷媒管を流れる冷媒と複数の水管を流れる水との間で熱交換を抑制する。複数の接合領域は、第１の接合領域と、第２の接合領域とを有する。第１の接合領域は、冷媒が第１の方向に流れ、水が第１の方向または第１の方向に対向する第２の方向に流れる。第２の接合領域は、冷媒が第２の方向に流れ、水が第１の接合領域に流れる水と反対の方向に流れる。非接合領域は、第１の接合領域と第２の接合領域との間に配置される。
【０００７】
本発明の第１観点に係る熱交換器では、接合領域において、冷媒管および水管が、冷媒用ヘッダおよび水用ヘッダが延びる方向に沿って積層された状態で接合され、冷媒管を流れる冷媒と水管を流れる水との間で熱交換を促進される。非接合領域では、冷媒管と水管とが積層されず、冷媒管を流れる冷媒と水管を流れる水との間で熱交換が抑制される。非接合領域は、第１の接合領域と第２の接合領域との間に配置される。
【０００８】
これにより、熱交換効率の低減を抑制し、熱交換性能を向上させることができる。
【０００９】
本発明の第２観点に係る熱交換器は、第１観点に係る熱交換器であって、冷媒用ヘッダは、筒状部材であり、出入口部を有する。筒状部材は、複数の冷媒管が積層される積層方向に延びる。出入口部は、積層方向における端部に冷媒の出入口を構成する。複数の接合領域は、出入口部の近傍に位置する第１の接合領域と、積層方向において、第１の接合領域の近傍に位置する第２の接合領域と、を含む。
【００１０】
本発明の第２観点に係る熱交換器では、非接合領域が、出入口部近傍に位置する第１の接合領域と、第１の接合領域の近傍に位置する第２の接合領域との間に配置される。
【００１１】
これにより、第１の接合領域に配置される冷媒管および水管と、第２の接合領域に配置される冷媒管および水管とが、互いに影響を受けない状態を作ることができる。
【００１２】
本発明の第３観点に係る熱交換器は、第２観点に係る熱交換器であって、第１の接合領域は、過冷却域あるいは過熱域の冷媒が流れる複数の冷媒管が、一つの水管または複数の水管と接合される領域である。また、第２の接合領域は、二相域の冷媒が流れる複数の冷媒管が、一つの水管または複数の水管と接合される領域である。
【００１３】
本発明の第３観点に係る熱交換器では、第１の接合領域に、過冷却域あるいは過熱域の冷媒が流れる複数の冷媒管が配置され、第２の接合領域に、二相域の冷媒が流れる複数の冷媒管が配置される。
【００１４】
これにより、過冷却域・過熱域の冷媒が流れる冷媒管と、二相域の冷媒が流れる第２の接合領域の水管との熱交換を回避することができる。
【００１５】
本発明の第４観点に係る熱交換器は、第２観点または第３観点に係る熱交換器であって、非接合領域は、第１の接合領域と、第２の接合領域との間に隙間を形成するための領域である。
【００１６】
本発明の第４観点に係る熱交換器では、非接合領域は、第１の接合領域における冷媒管および水管と、第２の接合領域における冷媒管および水管との間に隙間を形成するために設けられる。
【００１７】
これにより、第２の接合領域の水管と、第１の接合領域の冷媒管との熱交換を確実に回避すると共に、熱伝達率の維持を図ることができる。
【００１８】
本発明の第５観点に係る熱交換器は、第１観点から第４観点のいずれかに係る熱交換器であって、冷媒は、Ｒ３２冷媒である。
【００１９】
本発明の第５観点に係る熱交換器では、Ｒ３２冷媒と水との間で熱交換が行われる。Ｒ３２冷媒では、冷媒吐出温度が高い。これにより、特に有効な結果を得ることができる。
【００２０】
本発明の第６観点に係る給湯装置または暖房装置は、第１観点から第５観点のいずれかに係る熱交換器を用いて温水を作る。これにより、効果的に温水を作ることができる。
【発明の効果】
【００２１】
本発明の第１観点に係る熱交換器では、熱交換効率の低減を抑制し、熱交換性能を向上させることができる。
【００２２】
本発明の第２観点に係る熱交換器では、第１の接合領域に配置される冷媒管および水管と、第２の接合領域に配置される冷媒管および水管とが、互いに影響を受けない状態を作ることができる。
【００２３】
本発明の第３観点に係る熱交換器では、過冷却域・過熱域の冷媒が流れる冷媒管と、二相域の冷媒が流れる第２の接合領域の水管との熱交換を回避することができる。
【００２４】
本発明の第４観点に係る熱交換器では、第２の接合領域の水管と、第１の接合領域の冷媒管との熱交換を確実に回避すると共に、熱伝達率の維持を図ることができる。
【００２５】
本発明の第５観点に係る熱交換器では、特に有効な結果を得ることができる。
【００２６】
本発明の第６観点に係る給湯装置または暖房装置では、効果的に温水を作ることができる。
【図面の簡単な説明】
【００２７】
【図１】本発明に係る熱交換器を含むヒートポンプ式給湯装置の概要を示す回路図である。
【図２】本発明に係る熱交換器が配置される熱源ユニットの例を示す図である。
【図３】本発明に係る熱交換器の構成の概要を示す図である。
【図４】熱源ユニットに設置された状態（横たえた状態）の熱交換器を示す図である。また、流体の流れ方向および出入口部を示す模式図でもある。
【図５】図３に示す熱交換器のＩ−Ｉ断面の斜視図である。
【図６】図３に示す熱交換器の部分拡大図である。
【図７】図３に示す熱交換器の部分拡大図である。
【図８】金属プレートの概略平面図である。
【図９】折り曲げられた状態の金属プレートの概略平面図である。
【図１０】図８のＩＩ−ＩＩ断面図である。
【図１１】図９のＩＩＩ−ＩＩＩ断面図である。
【図１２】水管および水用ヘッダの部分断面図である。
【図１３】図３に示す熱交換器のＩＶ−ＩＶ断面の部分拡大図である。
【図１４】変形例Ａに係る熱交換器の例を示す図である。
【図１５】変形例Ｂに係る熱交換器の例を示す図である。
【発明を実施するための形態】
【００２８】
以下、図面を参照しながら、本発明の実施形態について説明する。なお、本発明に係る熱交換器の実施形態は、以下に説明する実施形態に限られるものではなく、発明の要旨を逸脱しない範囲で変更可能である。
【００２９】
なお、本発明に係る熱交換器１０は、Ｒ４１０Ａ，Ｒ３２，Ｒ１３４ａ，ＨＦＯなどのフロン系冷媒や、ＣＯ2，プロパンなどの自然冷媒を対象とした水熱交換器である。以下の実施形態では、Ｒ３２冷媒を対象とする熱交換器１０を例に挙げて説明する。
【００３０】
（１）ヒートポンプ式給湯装置の全体構成
図１は、本発明に係る熱交換器１０が採用されたヒートポンプ式給湯装置１の概略構成図である。ヒートポンプ式給湯装置１は、主として、温水熱源ユニット２と、給湯ユニット３とを有している。
【００３１】
温水熱源ユニット２は、屋外に１台設置されている。温水熱源ユニット２は、主として、圧縮機４と、熱交換器１０と、膨張弁５と、空気熱交換器６とを有しており、これらの機器が接続されることによって冷媒回路２０を構成している。圧縮機４は、Ｒ３２冷媒を圧縮する。熱交換器１０は、Ｒ３２冷媒と水との間で熱交換を行う。膨張弁５は、Ｒ３２冷媒の減圧手段として機能する。空気熱交換器６は、外気とＲ３２冷媒との間で熱交換を行う。
【００３２】
給湯ユニット３は、それぞれ屋内に１台ずつ設置されている。給湯ユニット３は、主として、給湯タンク３１と、ポンプ３２とを有している。給湯ユニット３は、給湯タンクおよびポンプ等からなる給湯回路を有する。給湯タンク３１は、給湯に利用される水媒体としての水が溜められる。給湯タンクに溜められた水は、その後、蛇口やシャワー等に送られて使用される。ポンプ３２は、水を送り出すために使用される。熱交換器１０と給湯タンク３１とポンプ３２とが接続されることによって水循環回路３０が構成されている。
【００３３】
（２）温水熱源ユニットの内部構造
図２は、熱交換器１０が含まれる温水熱源ユニット２の内部構造を模式的に示す。図２において、断熱壁２ｃの右側区画が機械室２ａであり、断熱壁２ｃの左側区画が送風機室２ｂである。機械室２ａには、圧縮機４や膨張弁５が配置されている。送風機室２ｂには、ファン７が配置されている。空気熱交換器６は、図２において、送風機室２ｂの左側と背面側に配置されている。送風機室２ｂの下方には、断熱壁２ｄを隔てて熱交換器１０が配置されている。熱交換器１０では、冷媒回路を循環するＲ３２冷媒と、給湯回路に送られる水との間で熱交換が行われる。機械室２ａの上部には、制御ボックス９が配置されている。
【００３４】
熱交換器１０は、温水熱源ユニット２において、後述するヘッダ４１，４２，５１，５２が延びる方向が水平面に対して平行に近い傾きになるように配置される。具体的に、熱交換器１０は、図３に示す高さ方向が、設置面に対して略平行になるように配置される。より具体的に、熱交換器１０は、温水熱源ユニット２に配置される際、側面視で図４に示すような態様を有する。すなわち、図３の高さ方向は、図４の奥行き方向に対応し、図３の奥行き方向は、図４の上下方向（高さ方向）に対応する。
【００３５】
以下、熱交換器１０の構成について詳細に説明する。なお、以下の説明において、図３に示す熱交換器１０の態様を起立状態と呼び、図４に示す熱交換器１０の態様を横たえた状態と呼ぶ。
【００３６】
（３）熱交換器の構成の概要
図３は、熱交換器１０の全体構成図である。図４は、温水熱源ユニット２に設置された状態（横たえた状態）の熱交換器１０の状態を示す図である。図５は、図３のＩ―Ｉ断面の部分拡大図である。図５において、仕切り部材４１ａは省略している。図６および図７は、図３の部分拡大図である。図３、図６、および図７では、流体（冷媒および水）の流れ方向が模式的に示されている。図８から図１１は、熱交換器１０を構成するための部材（金属プレート）８０を説明するための図である。図１２は、水管５０および水用ヘッダ５１，５２を示す図である。図１３は、複数の水管５０および複数の冷媒管４０が積層されている状態を示す。
【００３７】
図３から図７のいずれかに示すように、熱交換器１０は、主として、多数の冷媒管４０と、冷媒用ヘッダ４１，４２と、多数の水管５０と、水用ヘッダ５１，５２とから構成されている。冷媒管４０および水管５０は、いずれも扁平な面を有する管（扁平管）である。多数の冷媒管４０および多数の水管５０は、それぞれ、扁平な面が互いに対向するような状態で積層される。冷媒管４０および水管５０は、交互に積層されている。また、冷媒管４０および水管５０は、ロウ付け接合されて互いに密着する。これにより、熱交換器１０では、冷媒管４０の内部を流れる冷媒（ここでは、圧縮機４から吐出される冷媒）と、水管５０の内部を流れる水と間で熱交換を行って、水管５０の内部の水を加熱するように構成されている。
【００３８】
なお、本実施形態に係る熱交換器１０は、冷媒管４０および水管５０について、接合領域ＣＲ１，ＣＲ２，ＣＲ３と非接合領域ＮＣＲ１，ＮＣＲ２とを有する。接合領域ＣＲ１，ＣＲ２，ＣＲ３とは、冷媒管４０および水管５０が、冷媒用ヘッダ４１，４２および水用ヘッダ５１，５２が延びる方向に沿って積層された状態で接合され、冷媒管４０を流れる冷媒と水管５０を流れる水との間で熱交換を促進させる領域である。また、非接合領域ＮＣＲ１，ＮＣＲ２とは、冷媒管４０と水管５０とが積層されず、冷媒管４０を流れる冷媒と水管５０を流れる水との間で熱交換を抑制する領域である。接合領域ＣＲ１，ＣＲ２，ＣＲ３および非接合領域ＮＣＲ１，ＮＣＲ２については、追って詳細に説明する。
【００３９】
また、図３に示すように、熱交換器１０が起立状態のとき、複数の冷媒管４０および複数の水管５０のそれぞれは、扁平な面が水平面に対して平行になるように配置される。さらに、図４に示すように、熱交換器１０が横たえた状態（設置された状態）のとき、多数の冷媒管４０および多数の水管５０のそれぞれは、扁平な面が水平面に対して垂直に近い傾きになるように配置される。
【００４０】
また、本実施形態における熱交換器１０では、図３に示すように、１８本の冷媒管４０および１５本の水管５０が積層されている。積層される冷媒管４０および水管５０の数は、要求される性能などに応じて適宜選定されるものである。また、図３の例では、最下段と最上段に冷媒管４０が配置されているが、水管５０を最下段や最上段に配置することもできる。
【００４１】
（３−１）冷媒管
冷媒管４０は、高圧により超臨界状態になっている冷媒が流れるような構成を有する。具体的に、冷媒管４０は、扁平な形状を有する管である。また、冷媒管４０は、多数の冷媒流路４０ａを有する。すなわち、冷媒管４０は、いわゆる、多穴扁平管である。図５で示す冷媒管４０は、１３個の冷媒流路４０ａを有する。複数の冷媒流路４０ａは、冷媒管４０の幅方向（図３、図６、および図７の奥行き方向）に一列に並ぶ。冷媒流路４０ａは、冷媒管４０の長手方向に延びて貫通し、内部に冷媒を通す。なお、冷媒流路４０ａの数は、１３個に限定されるものではない。
【００４２】
冷媒管４０は、アルミニウム、アルミニウム合金、銅合金、ステンレスなどで形成される。また、冷媒管４０は、引き抜き加工や押し出し加工により製造されている。
【００４３】
（３−２）冷媒用ヘッダ
冷媒用ヘッダ４１，４２は、複数の冷媒管４０の内部に通される冷媒を集合させる。また、冷媒用ヘッダ４１，４２は、内部に集合した冷媒を、複数の冷媒管４０に分配する。
【００４４】
冷媒用ヘッダ４１，４２は、複数の冷媒管４０の長手方向に対して交差する方向（交差方向）に延びる。すなわち、冷媒用ヘッダ４１，４２は、それぞれ、多数の冷媒管４０が積層される方向に沿って延びる態様で配置される。冷媒用ヘッダ４１，４２は、多数の冷媒管４０に接続される。
【００４５】
冷媒用ヘッダ４１，４２には、第１の冷媒用ヘッダ４１および第２の冷媒用ヘッダ４２が含まれる。第１の冷媒用ヘッダ４１は、図３に示す熱交換器１０において、冷媒管４０の長手方向第１端側（左側）に配置されている。第１の冷媒用ヘッダ４１は、多数の冷媒管４０の長手方向第１端側で多数の冷媒管４０に接続される。また、第２の冷媒用ヘッダ４２は、図３に示す熱交換器１０において、冷媒管４０の長手方向第２端側（右側）に配置されている。第２の冷媒用ヘッダ４２は、多数の冷媒管４０の長手方向第２端側で多数の冷媒管４０に接続される。
【００４６】
図４に示すように熱交換器１０を横たえた状態のとき、第１の冷媒用ヘッダ４１および第２の冷媒用ヘッダ４２は、冷媒管４０の長手方向における中心位置ｃｐから最も遠い位置に配置される。言い換えると、第１の冷媒用ヘッダ４１および第２の冷媒用ヘッダ４２は、冷媒管４０の先端に接続されている。
【００４７】
第１の冷媒用ヘッダ４１および第２の冷媒用ヘッダ４２は、それぞれ、主として、筒状部材と、冷媒用入口部（出入口部）４１ｂおよび冷媒用出口部（出入口部）４２ｂと、仕切り部材４１ａ，４２ａとによって構成されている。以下、筒状部材と、冷媒用入口部４１ｂおよび冷媒用出口部４２ｂと、仕切り部材４１ａ，４２ａとについて説明する。
【００４８】
（３−２−１）筒状部材
筒状部材は、複数の冷媒管４０の長手方向に対して交差する方向に延びる内部空間を有する。内部空間は、後述する仕切り部材４１ａ，４２ａによって複数の集合空間ｒ１〜ｒ３，ｒ４〜ｒ６へと形成される。
【００４９】
筒状部材は、連通部分ｃｓを含む（図６および図７参照）。図６および図７に示すように、連通部分ｃｓとは、筒状部材のうち、外部空間と連通する孔（連通孔）４１ｃ，４２ｃが形成された部分である。すなわち、筒状部材には、連通孔４１ｃ，４２ｃが形成されている。図３、図６、および図７では、連通部分ｃｓは、筒状部材が延びる方向に対して交差する方向に延びる連通孔４１ｃ，４２ｃを有する。具体的に、連通部分ｃｓが有する連通孔４１ｃ，４２ｃは、筒状部材が外周に沿って部分的に切り欠かれることによって形成される。また、連通孔４１ｃ，４２ｃは、筒状部材のうち、非閉鎖空間ｎｒ１，ｎｒ２が設けられる高さ位置に対応する部分の外周に形成される。なお、連通部分ｃｓが有する連通孔４１ｃ，４２ｃの形状は、どのような形状（例えば、矩形、円形等）であってもよい。
【００５０】
（３−２−２）冷媒用入口部および冷媒用出口部
冷媒用入口部４１ｂは、熱交換器１０への冷媒の入口を構成する。冷媒用入口部４１ｂは、第１の冷媒用ヘッダ４１に設けられている。冷媒用出口部４２ｂは、熱交換器１０の外側への冷媒の出口を構成する。冷媒用出口部４２ｂは、第２の冷媒用ヘッダ４２に設けられている。
【００５１】
具体的に、冷媒用入口部４１ｂは、第１の冷媒用ヘッダ４１の内部に冷媒を送るための部分である。冷媒用入口部４１ｂは、第１の冷媒用ヘッダ４１の長手方向第１端部の先端に設けられている。具体的に、図３では、冷媒用入口部４１ｂは、第１の冷媒用ヘッダ４１の上端部先端に設けられている。すなわち、第１の冷媒用ヘッダ４１の内部には、冷媒用入口部４１ｂから冷媒が入る。
【００５２】
冷媒用出口部４２ｂは、第２の冷媒用ヘッダ４２の内部から外部に向けて冷媒を排出するための部分である。冷媒用出口部４２ｂは、第２の冷媒用ヘッダ４２の長手方向第２端部の先端に設けられる。長手方向第２端部は、第１端部の反対側に位置する端部である。具体的に、図３では、冷媒用出口部４２ｂは、第２の冷媒用ヘッダ４２の下端部先端に設けられている。すなわち、第２の冷媒用ヘッダ４２の内部の冷媒は、冷媒用出口部４２ｂから排出される。
【００５３】
冷媒は、図３の実線矢印で示すように、冷媒用入口部４１ｂを介して熱交換器１０の内部に流れ込み、多数の冷媒管４０の内部を通って、冷媒用出口部４２ｂを介して熱交換器１０の外側へ流れ出る。
【００５４】
（３−２−３）仕切り部材
仕切り部材４１ａ，４２ａは、冷媒用ヘッダ４１，４２の内部空間を仕切るための部材である。仕切り部材４１ａ，４２ａは、冷媒用ヘッダ４１，４２の内部に設けられ、冷媒用ヘッダ４１，４２の内部空間を、長手方向において分断する。仕切り部材４１ａ，４２ａによって、第１の冷媒用ヘッダ４１および第２の冷媒用ヘッダ４２には、複数の集合空間ｒ１〜ｒ６と、非閉鎖空間ｎｒ１，ｎｒ２とが形成される。
【００５５】
具体的に、複数の集合空間ｒ１〜ｒ３，ｒ４〜ｒ６は、筒状部材と、仕切り部材４１ａ，４２ａとによって形成される。言い換えると、複数の集合空間ｒ１〜ｒ３，ｒ４〜ｒ６は、筒状部材の内壁および仕切り部材４１ａ，４２ａによって囲まれた閉鎖空間である。非閉鎖空間ｎｒ１，ｎｒ２もまた、筒状部材と仕切り部材４１ａ，４２ａとによって形成される。すなわち、非閉鎖空間ｎｒ１，ｎｒ２は、複数の集合空間ｒ１〜ｒ３，ｒ４〜ｒ６を形成する筒状部材と共通の筒状部材を用いて形成される。但し、非閉鎖空間ｎｒ１，ｎｒ２は、筒状部材のうち連通部分ｃｓを含む部分と、仕切り部材４１ａ，４２ａとによって形成される。
【００５６】
以下、第１の冷媒用ヘッダ４１の内部に形成される複数の集合空間ｒ１〜ｒ３および非閉鎖空間ｎｒ１と、第２の冷媒用ヘッダ４２の内部に形成される複数の集合空間ｒ４〜ｒ６および非閉鎖空間ｎｒ２とに分けて詳細に説明する。
【００５７】
（ａ）第１の冷媒用ヘッダに形成される集合空間および非閉鎖空間
第１の冷媒用ヘッダ４１の内部空間は、仕切り部材４１ａによって仕切られる。その結果、第１の冷媒用ヘッダ４１は、内部に、複数の集合空間ｒ１〜ｒ３と、非閉鎖空間ｎｒ１とが形成される。
【００５８】
複数の集合空間ｒ１〜ｒ３は、上述したように、筒状部材の内壁および仕切り部材４１ａによって囲まれた閉鎖空間である。冷媒は、各集合空間ｒ１〜ｒ３のそれぞれで集合する。非閉鎖空間ｎｒ１は、筒状部材のうち連通部分ｃｓを含む部分の内壁と、二つの仕切り部材４１ａとによって囲まれた空間である。非閉鎖空間ｎｒ１は、上述の連通孔４１ｃを介して外部空間と連通する。すなわち、非閉鎖空間ｎｒ１は、冷媒を集合させない。
【００５９】
本実施形態において、第１の冷媒用ヘッダ４１が有する複数の集合空間は、第１集合空間ｒ１と、第２集合空間ｒ２と、第３集合空間ｒ３と、から構成される。複数の集合空間ｒ１〜ｒ３および非閉鎖空間ｎｒ１は、第１の冷媒用ヘッダ４１の長手方向に並ぶ。具体的に、第１の冷媒用ヘッダ４１の内部において、冷媒用入口部４１ｂの近傍から順に、第１集合空間ｒ１、非閉鎖空間ｎｒ１、第２集合空間ｒ２、および第３集合空間ｒ３が配置される。
【００６０】
詳細に、図３において、第１集合空間ｒ１は、第１の冷媒用ヘッダ４１の最も上方に形成される。すなわち、第１集合空間ｒ１は、上述した冷媒用入口部４１ｂの近傍に位置する集合空間である。第１集合空間ｒ１は、過熱域の冷媒を集合させる。
【００６１】
第２集合空間ｒ２は、第１集合空間ｒ１の下方に形成される。すなわち、第２集合空間ｒ２は、第１集合空間ｒ１の隣にある集合空間である。第２集合空間ｒ２は、二相域の冷媒を集合させる。
【００６２】
第３集合空間ｒ３は、第２集合空間ｒ２の下方に形成される。すなわち、第３集合空間ｒ３は、第２集合空間ｒ２の隣にある集合空間である。第３集合空間ｒ３は、第１の冷媒用ヘッダ４１が有する複数の集合空間のうち、上述した冷媒用出口部４２ｂに対して最も近い位置にある集合空間である。第３集合空間ｒ３は、二相域の冷媒を集合させる。
【００６３】
非閉鎖空間ｎｒ１は、第１集合空間ｒ１と、第２集合空間ｒ２との間に配置される。具体的に、図３に示すように、非閉鎖空間ｎｒ１は、第１集合空間ｒ１の下方であって、第２集合空間ｒ２の上方に配置される。すなわち、非閉鎖空間ｎｒ１は、第１集合空間ｒ１と、第２集合空間ｒ２との間の距離を離す。言い換えると、第１の冷媒用ヘッダ４１では、冷媒用入口部４１ｂの近傍に位置する集合空間（第１集合空間）ｒ１と、第１集合空間ｒ１の隣にある集合空間である第２集合空間ｒ２とが、非閉鎖空間ｎｒ１によって分離される。
【００６４】
（ｂ）第２の冷媒用ヘッダに形成される集合空間および非閉鎖空間
第２の冷媒用ヘッダ４２の内部空間は、仕切り部材４２ａによって仕切られる。その結果、第２の冷媒用ヘッダ４２は、内部に、複数の集合空間ｒ４〜ｒ６と、非閉鎖空間ｎｒ２とが形成される。
【００６５】
第１集合空間ｒ４〜ｒ６は、上述したように、筒状部材の内壁および仕切り部材４２ａによって囲まれた閉鎖空間であり、冷媒は、各集合空間ｒ４〜ｒ６のそれぞれで集合する。非閉鎖空間ｎｒ２は、筒状部材のうち連通部分ｃｓを含む部分の内壁と、二つの仕切り部材４２ａとによって囲まれた空間である。非閉鎖空間ｎｒ２は、上述の連通孔４２ｃを介して外部空間と連通する。すなわち、非閉鎖空間ｎｒ２は、冷媒を集合させない。
【００６６】
本実施形態において、第２の冷媒用ヘッダ４２が有する複数の集合空間は、第１集合空間ｒ４と、第２集合空間ｒ５と、第３集合空間ｒ６と、から構成される。複数の集合空間ｒ４〜ｒ６および非閉鎖空間ｎｒ２は、第２の冷媒用ヘッダ４２の長手方向に並ぶ。具体的に、第２の冷媒用ヘッダ４２の内部において、冷媒用出口部４２ｂに遠い方から順に、第１集合空間ｒ４、第２集合空間ｒ５、非閉鎖空間ｎｒ２、および第３集合空間ｒ６が配置される。
【００６７】
詳細に、図３において、第１集合空間ｒ４は、第２の冷媒用ヘッダ４２の最も上方に形成される。第１集合空間ｒ４は、第２の冷媒用ヘッダ４２が有する集合空間のうち、上述した冷媒用入口部４１ｂに対して最も近い位置にある集合空間である。第１集合空間ｒ４は、二相域の冷媒を集合させる。
【００６８】
第２集合空間ｒ５は、第１集合空間ｒ４の下方に形成される。すなわち、第２集合空間ｒ５は、第１集合空間ｒ４の隣にある集合空間である。第２集合空間ｒ５もまた、二相域の冷媒を集合させる。
【００６９】
第３集合空間ｒ６は、第２集合空間ｒ５の下方に形成される。すなわち、第３集合空間ｒ６は、第２集合空間ｒ５の隣にある集合空間である。第３集合空間ｒ６は、上述した冷媒用入口部４１ｂの近傍に位置する集合空間である。第３集合空間ｒ６は、過冷却域の冷媒を集合させる。
【００７０】
非閉鎖空間ｎｒ２は、第２集合空間ｒ５と、第３集合空間ｒ６との間に配置される。具体的に、図３に示すように、非閉鎖空間ｎｒ２は、第２集合空間ｒ５の下方であって、第３集合空間ｒ６の上方に配置される。すなわち、非閉鎖空間ｎｒ２は、第２集合空間ｒ５と、第３集合空間ｒ６との間の距離を離す。言い換えると、第２の冷媒用ヘッダ４２では、冷媒用出口部４２ｂの近傍に位置する集合空間（第３集合空間）ｒ６と、第３集合空間ｒ３の隣にある集合空間である第２集合空間ｒ５とが、非閉鎖空間ｎｒ２によって分離される。
【００７１】
（３−２−４）冷媒の流れ
本実施形態に係る熱交換器１０では、冷媒用入口部４１ｂを介して第１の冷媒用ヘッダ４１に流れ込んだ冷媒は、第１集合空間ｒ１から、第１集合空間ｒ１に隣接する４段の冷媒管４０に分配される（図６の実線矢印参照）。具体的に、冷媒は、冷媒管４０の内部を左から右（第１の方向）に流れて、第２の冷媒用ヘッダ４２の第１集合空間ｒ４で集合する（図３参照）。すなわち、第１の冷媒用ヘッダ４１は、第１集合空間ｒ４で冷媒を集合させるために、第１集合空間ｒ１から第１集合空間ｒ４に向けて第１の方向へ冷媒を流す。
【００７２】
第１集合空間ｒ４で集合した冷媒は、第１集合空間ｒ４に隣接する８段の冷媒管４０のうち、下４段の冷媒管４０に分配される。具体的に、冷媒は、冷媒管４０の内部を右から左（第２の方向）に流れて、第１の冷媒用ヘッダ４１の第２集合空間ｒ２で集合する（図６の実線矢印参照）。すなわち、第２の冷媒用ヘッダ４２は、第２集合空間ｒ２で冷媒を集合させるために、第１集合空間ｒ４から第２集合空間ｒ２に向けて、第１の方向に対向する第２の方向へ冷媒を流す。
【００７３】
第２集合空間ｒ２で集合した冷媒は、第２集合空間ｒ２に隣接する８段の冷媒管４０のうち、下４段の冷媒管４０に分配される。具体的に、冷媒は、冷媒管４０の内部を左から右（第１の方向）に流れて、第２の冷媒用ヘッダ４２の第２集合空間ｒ５で集合する（図７の実線矢印参照）。すなわち、第１の冷媒用ヘッダ４１は、第２集合空間ｒ５で冷媒を集合させるために、第２集合空間ｒ２から第２集合空間ｒ５に向けて第１の方向へ冷媒を流す。
【００７４】
第２集合空間ｒ５で集合した冷媒は、第２集合空間ｒ５に隣接する７段の冷媒管４０のうち、下３段の冷媒管４０に分配される。具体的に、冷媒は、冷媒管４０の内部を右から左（第２の方向）に流れて、第１の冷媒用ヘッダ４１の第３集合空間ｒ３で集合する（図３および図７の実線矢印参照）。すなわち、第２の冷媒用ヘッダ４２は、第３集合空間ｒ３で冷媒を集合させるために、第２集合空間ｒ５から第３集合空間ｒ３に向けて第２の方向へ冷媒を流す。
【００７５】
第３集合空間ｒ３で集合した冷媒は、第３集合空間ｒ３に隣接する６段の冷媒管４０のうち、下３段の冷媒管４０に分配される。具体的に、冷媒は、冷媒管４０の内部を左から右に流れて、第２の冷媒用ヘッダ４２の第３集合空間ｒ６で集合する（図３および図７参照）。すなわち、第１の冷媒用ヘッダ４１は、第３集合空間ｒ６で冷媒を集合させるために、第３集合空間ｒ３から第３集合空間ｒ６に向けて第１の方向へ冷媒を流す。その後、冷媒は、冷媒用出口部４２ｂを介して、第２の冷媒用ヘッダ４２の外に流れ出る。
【００７６】
すなわち、冷媒用入口部４１ｂを介して第１の冷媒用ヘッダ４１に流れ込んだ冷媒は、各集合空間に達する度に進行方向を変更しながら、図３に示す熱交換器１０の上方から下方へと流れ、冷媒用出口部４２ｂを介して、第２の冷媒用ヘッダ４２の外に流れ出る（図３の実線矢印参照）。冷媒は、冷媒管４０の中を流れる間に、水管５０の内部を流れる水によって熱を奪われて冷却される。
【００７７】
（３−３）水管
水管５０は、給湯ユニット３に送られる給湯用の水を通す。水管５０は、内部に通す水と、冷媒管４０に通される冷媒との間で熱交換を行わせる。
【００７８】
水管５０は、扁平な形状を有する管である。具体的に、水管５０は、図３の左右方向に延びる長辺を有する。また、水管５０は、図３の奥行き方向に延びる短辺を有する。さらに、水管５０は、図３の上下方向に所定の厚みを有する。水管５０の厚み寸法は、短辺の寸法（幅の寸法）よりも小さい。図３の左右方向は、図４の左右方向に対応し、図３の奥行き方向は、図４の上下方向に対応する。
【００７９】
図４に示すように、水管５０の長辺の寸法ｄ２１は、冷媒管４０の長辺の寸法ｄ１１よりも短い。一方、水管５０の短辺の寸法ｄ２２は、冷媒管４０の短辺の寸法ｄ１２よりも長い。水管５０は、内部に給湯用水を通す流路ｐ１を有する。流路ｐ１は、水管５０の長辺方向（長手方向）に延びる。
【００８０】
水管５０は、水の腐食性を考慮して、ステンレスや銅合金を用いることが好ましい。ステンレスの種類としては、例えば、ＳＵＳ３０４やＳＵＳ３１６などがある。水管５０は、アルミニウムやアルミニウム合金からつくることもできる。但し、その場合には、内面に、アルマイト加工や樹脂コーティングなどの防食処理を施すことが好ましい。
【００８１】
水管５０は、後述する金属プレート８０を用いて、後述するヘッダ構成部５０ａと一体的に成形される（図１１参照）。
【００８２】
（３−４）水用ヘッダ
水用ヘッダ５１，５２は、水管５０の長手方向両端部近傍で、水管５０に通される水を集合させる。水用ヘッダ５１，５２のそれぞれで集合した水は、複数の水管５０に分配される。
【００８３】
図３に示すように、水用ヘッダ５１，５２は、それぞれ、多数の水管５０が積層される方向に沿って延びる態様で設けられる。水用ヘッダ５１，５２は、第１の水用ヘッダ５１および第２の水用ヘッダ５２を含む。第１の水用ヘッダ５１は、図３において、多数の水管５０の長手方向第１端側（左側）で、多数の水管５０と連結する。第２の水用ヘッダ５２は、図３において、多数の水管５０の長手方向第２端側（右側）で、多数の水管５０と連結する。
【００８４】
なお、水用ヘッダ５１，５２は、多数の水管５０の長手方向端部近傍において、冷媒用ヘッダ４１，４２と干渉しないような位置に配置される。具体的には、図４に示すように、水用ヘッダ５１，５２は、冷媒用ヘッダ４１，４２の近傍であって、冷媒管４０の長手方向における中心位置ｃｐに対して冷媒用ヘッダ４１，４２よりも近い位置に配置される。言い換えると、水用ヘッダ５１，５２は、熱交換器１０の長手方向において、冷媒用ヘッダ４１，４２よりも内側に配置されている。
【００８５】
また、熱交換器１０を横たえた状態のとき、水用ヘッダ５１，５２は、冷媒用ヘッダ４１，４２よりも、中心線ｃｌに対して外側に配置される。中心線ｃｌとは、熱交換器１０を横たえた状態のとき、冷媒管４０の高さ方向中心を通る線である。水用ヘッダ５１，５２は、中心線ｃｌに対して、冷媒用ヘッダ４１，４２よりも遠い位置に配置される。より具体的に、水用ヘッダ５１，５２は、中心線ｃｌに対して下方に配置される。すなわち、熱交換器１０を横たえた状態のとき、水用ヘッダ５１，５２は、冷媒用ヘッダ４１，４２よりも下方に来るように配置される。
【００８６】
水用ヘッダ５１，５２は、主として、ヘッダ構成部５０ａと、継ぎ部５０ｄとによって構成されている（図３および図１２参照）。水用ヘッダ５１，５２には、それぞれ、水用入口部５２ｂおよび水用出口部５１ｂが取り付けられる（図３および図４参照）。また、水用ヘッダ５１，５２の内部には、仕切り部材が設けられる。以下、ヘッダ構成部５０ａと、継ぎ部５０ｄと、水用入口部５２ｂおよび水用出口部５１ｂと、仕切り部材とについて説明する。また、ヘッダ構成部５０ａを水管５０と一体的に形成するための金属プレート８０についてもあわせて説明する。
【００８７】
（３−４−１）ヘッダ構成部
ヘッダ構成部５０ａは、他のヘッダ構成部５０ａおよび継ぎ部５０ｄと連結されることによって、水用ヘッダ５１，５２を構成する部分である。ヘッダ構成部５０ａは、水管５０の長辺方向（長手方向）において両端の近傍にそれぞれ配置される。具体的に、図９に示すように、ヘッダ構成部５０ａは、水管５０の長辺方向の両端部近傍であって、上述の水管５０の短辺方向における一端側に二箇所配置されている。
【００８８】
二つのヘッダ構成部５０ａは、それぞれ、上述の水管５０の短辺方向外側に向けて弧を描くように突出した形状を有する（図９参照）。また、図９に示すように、ヘッダ構成部５０ａには、それぞれ、円形の開口部５０ｃが形成されている。複数のヘッダ構成部５０ａと、継ぎ部５０ｄとが連結されることによって、開口部５０ｃを介して、ヘッダ構成部５０ａおよび継ぎ部５０ｄの内部が連通する（図３および図１２参照）。すなわち、複数のヘッダ構成部５０ａと継ぎ部５０ｄとが連結されることによって、水用ヘッダ５１，５２の内部空間が形成される。
【００８９】
なお、ヘッダ構成部５０ａは、上述したように、金属プレート８０を用いて、水管５０と一体的に形成される（図８参照）。
【００９０】
（３−４−２）継ぎ部
継ぎ部５０ｄは、複数のヘッダ構成部５０ａと複数のヘッダ構成部５０ａとを継ぐための部材である。継ぎ部５０ｄは、筒状の部材である。すなわち、継ぎ部５０ｄは、内部に空洞を有する。
【００９１】
継ぎ部５０ｄの上端および下端は、それぞれ、ヘッダ構成部５０ａに形成された開口部５０ｃに連結される（図９、図１１、および図１２参照）。すなわち、継ぎ部５０ｄの開口は、開口部５０ｃに連結可能な形状を有する。継ぎ部５０ｄは、ロウ付または溶接によってヘッダ構成部５０ａに接合される。継ぎ部５０ｄもまた、水管５０と同様、水の腐食性を考慮して、ステンレスや銅合金を用いることが好ましい。
【００９２】
継ぎ部５０ｄは、非接合領域ＮＣＲ１，ＮＣＲ２に対応する位置に配置される。具体的に、継ぎ部５０ｄは、水用入口部５２ｂに近い位置にある第２非接合領域ＮＣＲ２においては、水用入口部５２ｂから離れた位置に配置され、水用出口部５１ｂに近い位置にある第１非接合領域ＮＣＲ１においては、水用入口部５２ｂから離れた位置に配置される。言い換えると、継ぎ部５０ｄは、非接合領域ＮＣＲ１，ＮＣＲ２に対応する位置であって、非閉鎖空間ｎｒ１，ｎｒ２から離れた位置に配置される。
【００９３】
図３に示すように、一の継ぎ部５０ｄの上端は、上方接合領域（第１の接合領域）ＣＲ１に配置されたヘッダ構成部５０ａに連結される。また、当該継ぎ部５０ｄの下端は、上方接合領域ＣＲ１の隣にある中央接合領域（第２の接合領域）ＣＲ２に配置されたヘッダ構成部５０ａに連結される。また、他の継ぎ部５０ｄの上端は、中央接合領域ＣＲ２に配置されたヘッダ構成部５０ａに連結される。また、当該継ぎ部５０ｄの下端は、中央接合領域ＣＲ２の隣にある下方接合領域（第１の接合領域）ＣＲ３に配置されたヘッダ構成部５０ａに連結される。すなわち、一の継ぎ部５０ｄは、第１非接合領域ＮＣＲ１に対応する位置に配置され、上方接合領域（第１の接合領域）ＣＲ１に配置されているヘッダ構成部５０ａと、中央接合領域（第２の接合領域）ＣＲ２に配置されているヘッダ構成部５０ａとを連結する。また、他の継ぎ部５０ｄは、第２非接合領域ＮＣＲ２に対応する位置に配置され、中央接合領域（第２の接合領域）ＣＲ２に配置されているヘッダ構成部５０ａと、下方接合領域（第１の接合領域）ＣＲ３に配置されているヘッダ構成部５０ａとを連結する。
【００９４】
（３−４−３）水用入口部および水用出口部
水用入口部５２ｂは、第２の水用ヘッダ５２へと水を送るための部分である。また、水用出口部５１ｂは、第１の水用ヘッダ５１から水を排出するための部分である。具体的には、図３、図６、および図７に示すように、第２の水用ヘッダ５２は、水の入口を構成する水用入口部５２ｂを有し、第１の水用ヘッダ５１は、水の出口を構成する水用出口部５１ｂを有する。水用入口部５２ｂは、第２の水用ヘッダ５２の長手方向において第１端部の先端（ここでは、下端部先端）の位置に設けられる。水用出口部５１ｂは、第１の水用ヘッダ５１の長手方向において第２端部の先端（ここでは、上端部先端）の位置に設けられる。
【００９５】
水用入口部５２ｂおよび水用出口部５１ｂは、冷媒用出口部４２ｂおよび冷媒用入口部４１ｂの近傍にそれぞれ配置されている。また、熱交換器１０を横たえたとき、水用入口部５２ｂおよび水用出口部５１ｂは、それぞれ、冷媒用出口部４２ｂおよび冷媒用入口部４１ｂよりも下方に配置される。
【００９６】
水は、図３、図６、および図７の破線矢印で示すように、水用入口部５２ｂを介して熱交換器１０の内部に流れ込み、多数の水管５０の内部を通って、水用出口部５１ｂを介して熱交換器１０の外部へ流れ出る。
【００９７】
（３−４−４）仕切り部材
第１の水用ヘッダ５１および第２の水用ヘッダ５２もまた、第１の冷媒用ヘッダ４１および第２の冷媒用ヘッダ４２と同様に、それぞれ、内部に複数の仕切り部材（図示なし）を有する。仕切り部材によって、第１の水用ヘッダ５１および第２の水用ヘッダ５２の内部に流れ込む水の流動経路が変更される。
【００９８】
具体的に、仕切り部材は、第１の水用ヘッダ５１および第２の水用ヘッダ５２の内部空間を、長手方向において分断する。その結果、第１の水用ヘッダ５１および第２の水用ヘッダ５２の内部には、図３に示す第１の水用ヘッダ５１および第２の水用ヘッダ５２の長手方向に並ぶ、複数の集合空間が形成される。複数の集合空間は、それぞれ、水管５０に送る水を集合させる空間である。
【００９９】
水用入口部５２ｂを介して第２の水用ヘッダ５２に流れ込んだ水は、各集合空間に達する度に進行方向を変更しながら、図３に示す熱交換器１０の下方から上方へと流れ、水用出口部５１ｂを介して、第１の水用ヘッダ５１の外に流れ出る（図３、図６、および図７の破線矢印参照）。水は、水管５０の中を流れる間に、冷媒管４０内部を流れる冷媒から与えられる熱によって加熱される。なお、第１の水用ヘッダ５１および第２の水用ヘッダ５２内の仕切り部材は、水が、冷媒の流れ方向に対して、対向する方向に流れるように、第１の水用ヘッダ５１および第２の水用ヘッダ５２内に配置されている。折り曲げられた複数の金属プレート８０は、図１２に示すように重ね合わせる。重ね合わせた複数のヘッダ構成部５０ａを上述の継ぎ部５０ｄで継ぐことにより、図３に示すように、水用ヘッダ５１，５２が形成される。
【０１００】
（３−５）金属プレートの構成
次に、図８から図１１を用いて、水管５０およびヘッダ構成部５０ａを一体的に形成するための金属プレート８０の構成について説明する。図８は、金属プレート８０の概略平面図である。図９は、折り曲げられた状態の金属プレート８０の概略平面図である。図１０は、図８のＩＩ−ＩＩ線断面図である。図１１は、図９のＩＩＩ−ＩＩＩ線断面図である。
【０１０１】
図８に示すように、金属プレート８０は、主として、第１プレート８０１および第２プレート８０２からなる。第１プレート８０１および第２プレート８０２は、図８の紙面において、左右方向に延びる中心線Ｃ１を基準に、上下に対称の外形を有する。中心線Ｃ１に沿って、第１プレート８０１および第２プレート８０２のいずれか一方が折り曲げられることにより、図９に示すように、水管５０およびヘッダ構成部５０ａが形成される。言い換えると、水管５０およびヘッダ構成部５０ａは、金属プレート８０が中心線Ｃ１に沿って折り曲げられることにより形成される。
【０１０２】
具体的に、第１プレート８０１は、矩形部８１および突出部８６，８７を有し、第２プレート８０２は、矩形部８２および突出部８８，８９を有する。矩形部８１，８２は、図８において、左右に延びる部分である。突出部８６〜８９は、図８において、矩形部８１，８２から上下方向に突出する部分である。金属プレート８０が折り曲げられたとき、矩形部８１，８２は、上述の水管５０を構成し、突出部８６〜８９は、上述のヘッダ構成部５０ａを構成する。したがって、図８および図９に示すように、矩形部８１，８２の長辺寸法ｄ２１および短辺寸法ｄ２２は、水管５０の長辺寸法ｄ２１および短辺寸法ｄ２２にそれぞれ対応し、突出部８６〜８９の突出方向の寸法ｄ２３は、ヘッダ構成部５０ａの突出方向の寸法ｄ２３に対応する。
【０１０３】
突出部８６，８７は、第１プレート８０１の短辺方向一端側であって、中心線Ｃ１と対向する位置にある第１端に配置される。また、突出部８６，８７は、第１プレート８０１の長辺方向において両端の近傍にそれぞれ配置される。また、突出部８８，８９は、第２プレート８０２の短辺方向一端側であって、中心線Ｃ１と対向する位置にある第２端に配置される。また、突出部８８，８９は、第２プレート８０２の長辺方向において両端の近傍にそれぞれ配置される。
【０１０４】
金属プレート８０には、図８または図１０に示すように、開口形成部９１〜９４、凸面部８３、凹面部９８、および平滑部９５が形成されている。開口形成部９１〜９４、凸面部８３、凹面部９８、および平滑部９５は、例えば、プレス加工によって形成される。
【０１０５】
開口形成部９１〜９４は、金属プレート８０が折り曲げられた際、開口部５０ｃを構成する部分である（図９参照）。開口形成部９１〜９４は、各突出部８６〜８９に、それぞれ形成されている。４つの開口形成部９１〜９４の寸法は、全て同じである。開口形成部９１〜９４の寸法は、水管５０に流す給湯用水の流量に合わせて設計される。開口形成部９１〜９４は、孔の周辺を取り囲む第１面を有する。第１面は、後述する凹面部９８に対して交差する方向に延びる（図１０参照）。
【０１０６】
具体的に、金属プレート８０が折り曲げられる前、第１プレート８０１の開口形成部９１，９２は、凹面部９８に対して下向きに延びる第１面を有する（図８および図１０参照）。また、第２プレート８０２の開口形成部９３，９４は、金属プレート８０が折り曲げられる前、凹面部９８に対して上向きに延びる第１面を有する（図８および図１０参照）。
【０１０７】
なお、図８に示す開口形成部９１〜９４の形状は、いずれも円形であるが、開口形成部９１〜９４の形状は、水漏れし難い形状であれば、円形以外の形状であってもよい。
【０１０８】
凸面部８３は、金属プレート８０の外縁および中心線Ｃ１に沿って長手方向に延びる中央部分８５に設けられている。凸面部８３は、金属プレート８０の他の部分に比べて最も上方の高さ位置で延びる面である。凹面部９８は、開口形成部９１〜９４の周囲で延びる面である。凹面部９８は、金属プレート８０の他の部分に比べて最も下方の高さ位置で延びる。
【０１０９】
平滑部９５は、開口形成部９１〜９４、凸面部８３、および凹面部９８以外の部分である。平滑部９５は、凸面部８３よりも下の高さ位置に延び、凹面部９８よりも上の高さ位置に延びる面である。平滑部９５には、また、ディンプル２５が設けられている。ディンプル２５は、金属プレート８０が折り曲げられたとき、上下方向に交互の平面位置にあるように、平滑部９５に設けられる。
【０１１０】
図１１は、図９のＩＩＩ−ＩＩＩ断面図である。すなわち、図１１は、図８および図１０に示される金属プレート８０が、中心線Ｃ１（すなわち、中央部分８５の中心）に沿って折り曲げられた状態を示す。金属プレート８０が折り曲げられると、図１１に示すように、第１プレート８０１と第２プレート８０２とが対向し、凸面部８３が重なる。重なり合った凸面部８３は、二重巻締めによってシールされる。このとき、対向する第１プレート８０１および第２プレート８０２の間には、平滑部９５によって、給湯用水が通る流路ｐ１が形成される（図１１参照）。流路ｐ１は、ヘッダ構成部５０ａまで続く。金属プレート８０を折り曲げた際に、金属プレート８０のうち流路ｐ１を形成する部分が、水管５０となる。また、金属プレート８０を折り曲げた際に、金属プレート８０のうち開口部５０ｃを構成する部分およびその周辺が、ヘッダ構成部５０ａとなる。
【０１１１】
（４）冷媒管および水管の積層構造
図１３には、熱交換器１０の積層構造が模式的に示されている。図１３に示すように、熱交換器１０では、冷媒管４０と水管５０とが交互に積層される。すなわち、熱交換器１０では、水管５０の上下両方の面が、冷媒管４０に接触するように、冷媒管４０および水管５０が積層される。
【０１１２】
具体的に、熱交換器１０では、上述したように、冷媒管４０および水管５０について、接合領域ＣＲ１，ＣＲ２，ＣＲ３と非接合領域ＮＣＲ１，ＮＣＲ２とを有する。接合領域ＣＲ１，ＣＲ２，ＣＲ３とは、上述したように、冷媒管４０および水管５０が、冷媒用ヘッダ４１，４２および水用ヘッダ５１，５２が延びる方向に沿って積層された状態で接合される領域である。接合領域ＣＲ１，ＣＲ２，ＣＲ３では、冷媒管４０を流れる冷媒と水管５０を流れる水との間で熱交換が促進される。非接合領域ＮＣＲ１，ＮＣＲ２とは、上述したように、冷媒管４０と水管５０とが積層されていない領域である。非接合領域ＮＣＲ１，ＮＣＲ２は、当該非接合領域ＮＣＲ１，ＮＣＲ２の上方の接合領域ＣＲ１，ＣＲ２に配置された冷媒管４０を流れる冷媒または水管５０を流れる水と、当該非接合領域ＮＣＲ１，ＮＣＲ２の下方の接合領域ＣＲ２，ＣＲ３に配置された冷媒管４０を流れる冷媒または水管５０を流れる水との間における熱交換を妨げる。
【０１１３】
本実施形態では、図６または図７に示すように、接合領域ＣＲ１，ＣＲ２，ＣＲ３には、上方接合領域（第１の接合領域）ＣＲ１、中央接合領域（第２の接合領域）ＣＲ２、および下方接合領域（第１の接合領域）ＣＲ３が含まれる。上方接合領域ＣＲ１は、接合領域のうち、図３において、最も上方に位置する接合領域である。具体的に、上方接合領域ＣＲ１は、冷媒用入口部４１ｂの近傍に位置する接合領域である。上方接合領域ＣＲ１で水管５０と接合される冷媒管４０には、過熱域の冷媒（すなわち、高温のガス冷媒）が流れる。中央接合領域ＣＲ２は、図３において、中央に位置する接合領域である。具体的に、中央接合領域ＣＲ２は、上方接合領域ＣＲ１および下方接合領域ＣＲ３の両方の近傍に位置する接合領域である。言い換えると、中央接合領域ＣＲ２は、上方接合領域ＣＲ１と下方接合領域ＣＲ３との間に位置する接合領域である。中央接合領域ＣＲ２で水管５０と接合される冷媒管４０には、二相域の冷媒が流れる。下方接合領域ＣＲ３は、接合領域のうち、図３において、最も下方に位置する接合領域である。具体的に、下方接合領域ＣＲ３は、冷媒用出口部４２ｂの近傍に位置する接合領域である。下方接合領域ＣＲ３で水管５０と接合される冷媒管４０には、過冷却域の冷媒（すなわち、低温の液冷媒）が流れる。
【０１１４】
非接合領域ＮＣＲ１，ＮＣＲ２は、上方接合領域ＣＲ１または下方接合領域ＣＲ３に配置された冷媒管４０あるいは水管５０と、中央接合領域ＣＲ２に配置された冷媒管４０あるいは水管５０との間に隙間を形成するための領域である。
【０１１５】
具体的に、非接合領域ＮＣＲ１は、過熱域の冷媒を通す冷媒管４０と二相域の冷媒を通す冷媒管４０との間に設けられ、非接合領域ＮＣＲ２は、過冷却域の冷媒を通す冷媒管４０と二相冷媒を通す冷媒管４０との間に設けられる。すなわち、非接合領域ＮＣＲ１，ＮＣＲ２は、非閉鎖空間ｎｒ１，ｎｒ２の高さ位置に配置される。
【０１１６】
熱交換器１０では、このような積層順序を有することによって、各接合領域ＣＲ１，ＣＲ２，ＣＲ３に配置された冷媒管４０を通る冷媒と水管５０を通る水との間の熱交換効率を向上させる。
【０１１７】
（５）特徴
（５−１）
上記実施形態に係る熱交換器１０は、複数の冷媒管４０と、冷媒用ヘッダ４１，４２と、複数の水管５０と、水用ヘッダ５１，５２と、を備える。複数の冷媒管４０は、冷媒を通す冷媒流路４０ａを有し、冷媒流路４０ａが長手方向に延びる。冷媒用ヘッダ４１，４２は、複数の冷媒管４０の両端に接続されて、冷媒を集合させる。複数の水管５０は、水を通す流路ｐ１を有し、流路ｐ１が長手方向に延びる。水用ヘッダ５１，５２は、複数の水管５０の両端に接続されて、水を集合させる。熱交換器１０は、接合領域ＣＲ１，ＣＲ２，ＣＲ３と非接合領域ＮＣＲ１，ＮＣＲ２とを含む。接合領域ＣＲ１，ＣＲ２，ＣＲ３は、冷媒管４０および水管５０が、冷媒用ヘッダ４１，４２および水用ヘッダ５１，５２が延びる方向に沿って積層された状態で接合され、冷媒管４０を流れる冷媒と水管５０を流れる水との間で熱交換を促進させる。非接合領域ＮＣＲ１，ＮＣＲ２は、冷媒管４０と水管５０とが積層されず、冷媒管４０を流れる冷媒と水管５０を流れる水との間で熱交換を抑制する。複数の接合領域ＣＲ１，ＣＲ２，ＣＲ３は、上方接合領域（第１の接合領域）ＣＲ１および下方接合領域（第１の接合領域）ＣＲ３と、中央接合領域（第２の接合領域）ＣＲ２と、を有する。上方接合領域ＣＲ１および下方接合領域ＣＲ３では、冷媒が第１の方向（左から右）に流れ、水が第１の方向に対向する第２の方向（右から左）に流れる。中央接合領域ＣＲ２では、冷媒が第２の方向（右から左）に流れ、水が上方接合領域ＣＲ１および下方接合領域ＣＲ３に流れる水と反対の方向（左から右）に流れる。非接合領域ＮＣＲ１，ＮＣＲ２は、上方接合領域ＣＲ１と中央接合領域ＣＲ２との間、および下方接合領域ＣＲ３と中央接合領域ＣＲ２との間にそれぞれ配置される。
【０１１８】
冷媒が冷媒用入口部を介して第１端側の冷媒用ヘッダの内部に送られると、冷媒は、冷媒管を第１の方向に流れて反対側（第２端側）の冷媒用ヘッダの集合空間で集合する。その後、冷媒は、流れ方向を変化させて、下方の冷媒管を第１の方向に対向する第２の方向に流れる。冷媒は、このように、第１端側の冷媒用ヘッダから反対側に位置する冷媒用ヘッダに流れると、流れ方向を変化させながら、下方の冷媒管を流れ、最終的に冷媒用出口部から排出される。冷媒管と水管とは交互に積層されているため、冷媒管の熱は、積層方向上下に隣接する二つの水管に伝導される。ここで、冷媒管の上下に隣接する二つの水管の両方が、同一の方向に流れる水を通す水管である場合には、冷媒管を流れる冷媒と、水管を流れる水との間で好適に熱交換が行われる。しかし、冷媒管に隣接する二つの水管を流れる水の方向が異なる場合、一方の水管を流れる水との熱交換が、他方の水管を流れる水との熱交換に影響を与える。その結果、熱交換器の熱交換性能が低下する。
【０１１９】
しかし、上記実施形態に係る熱交換器１０では、接合領域ＣＲ１，ＣＲ２，ＣＲ３と非接合領域ＮＣＲ１，ＮＣＲ２とが設けられている。接合領域ＣＲ１，ＣＲ２，ＣＲ３において、冷媒管４０および水管５０は、冷媒用ヘッダ４１，４２および水用ヘッダ５１，５２が延びる方向に沿って積層された状態で接合される。冷媒管内の冷媒の流れ方向は、接合領域ＣＲ１，ＣＲ２，ＣＲ３毎に異なる。各接合領域ＣＲ１，ＣＲ２，ＣＲ３に配置された冷媒管４０を流れる冷媒は、各接合領域ＣＲ１，ＣＲ２，ＣＲ３に配置された水管５０を流れる水との間で熱交換を促進させる。非接合領域ＮＣＲ１，ＮＣＲ２では、冷媒管４０と水管５０とが積層されない。したがって、非接合領域ＮＣＲ１，ＮＣＲ２は、当該非接合領域ＮＣＲ１，ＮＣＲ２の上方の接合領域ＣＲ１，ＣＲ２に配置された冷媒管４０を流れる冷媒または水管５０を流れる水と、当該非接合領域ＮＣＲ１，ＮＣＲ２の下方の接合領域ＣＲ２，ＣＲ３に配置された冷媒管４０を流れる冷媒または水管５０を流れる水との間における熱交換を抑制する。具体的に、非接合領域ＮＣＲ１，ＮＣＲ２は、上方接合領域ＣＲ１と中央接合領域ＣＲ２との間、および、下方接合領域ＣＲ３と中央接合領域ＣＲ２との間にそれぞれ配置される。したがって、各接合領域ＣＲ１，ＣＲ２，ＣＲ３における冷媒と水との熱交換を、他の接合領域ＣＲ１，ＣＲ２，ＣＲ３における水が妨げない。
【０１２０】
これにより、上方接合領域ＣＲ１に配置された冷媒管４０を流れる冷媒は、上方接合領域ＣＲ１に配置された水管５０を流れる水と熱交換を行い、中央接合領域ＣＲ２に配置された冷媒管４０を流れる冷媒は、中央接合領域ＣＲ２に配置された水管５０を流れる水と熱交換を行う。また、下方接合領域ＣＲ３に配置された冷媒管４０を流れる冷媒は、下方接合領域ＣＲ３に配置された水管５０を流れる水と熱交換を行う。言い換えると、上方接合領域ＣＲ１に配置された冷媒管４０を流れる冷媒と、中央接合領域ＣＲ２に配置された水管５０を流れる水との間の熱交換が抑制される。また、下方接合領域ＣＲ３に配置された冷媒管４０を流れる冷媒と、中央接合領域ＣＲ２に配置された水管５０を流れる水との間の熱交換が抑制される。その結果、熱交換効率の低減を抑制し、熱交換性能を向上させることができる。
【０１２１】
（５−２）
上記実施形態に係る熱交換器１０では、冷媒用ヘッダ４１，４２は、筒状部材であり、冷媒用入口部（出入口部）４１ｂおよび冷媒用出口部（出入口部）４２ｂを有する。筒状部材は、複数の冷媒管４０が積層される積層方向に延びる。冷媒用入口部４１ｂおよび冷媒用出口部４２ｂは、積層方向における端部に冷媒の出入口を構成する。複数の接合領域ＣＲ１，ＣＲ２，ＣＲ３は、上方接合領域（第１の接合領域）ＣＲ１と、下方接合領域（第１の接合領域）ＣＲ３と、中央接合領域（第２の接合領域）ＣＲ２とを含む。上方接合領域（第１の接合領域）ＣＲ１は、冷媒用入口部４１ｂの近傍に位置する。下方接合領域（第１の接合領域）ＣＲ３は、冷媒用出口部４２ｂの近傍に位置する。中央接合領域（第２の接合領域）ＣＲ２は、積層方向において、上方接合領域（第１の接合領域）ＣＲ１および下方接合領域（第１の接合領域）ＣＲ３の近傍に位置する。すなわち、非接合領域ＮＣＲ１は、冷媒用入口部４１ｂの近傍に位置する上方接合領域ＣＲ１と、上方接合領域ＣＲ１の近傍に位置する中央接合領域ＣＲ２との間に配置される。また、非接合領域ＮＣＲ２は、冷媒用出口部４２ｂの近傍に位置する下方接合領域ＣＲ３と、下方接合領域ＣＲ３の近傍に位置する中央接合領域ＣＲ２との間に配置される。
【０１２２】
これにより、上方接合領域ＣＲ１および下方接合領域ＣＲ３に配置される冷媒管４０および水管５０と、中央接合領域ＣＲ２に配置される冷媒管４０および水管５０とが、互いに影響を受けない状態を作ることができる。
【０１２３】
（５−３）
上記実施形態に係る熱交換器１０は、上方接合領域（第１の接合領域）ＣＲ１および下方接合領域（第１の接合領域）ＣＲ３は、過冷却域あるいは過熱域の冷媒が流れる複数の冷媒管４０が、複数の水管５０と接合される領域である。また、中央接合領域（第２の接合領域）ＣＲ２は、二相域の冷媒が流れる複数の冷媒管４０が、複数の水管５０と接合される領域である。
【０１２４】
過冷却域あるいは過熱域の冷媒の温度制御は、熱交換器全体の温度制御を行う上で、非常に重要である。しかし、従来の熱交換器では、過冷却域あるいは過熱域の冷媒を流す冷媒管に、二相域の冷媒によって熱交換を行うべき水管が隣接して積層されていた。その結果、過冷却域あるいは過熱域の冷媒の温度を所望の温度に制御することが困難であった。
【０１２５】
そこで、上記実施形態に係る熱交換器１０では、過冷却域あるいは過熱域の冷媒を流す冷媒管４０と、二相域の冷媒によって熱交換させるべき水を流す水管５０とが接触しないように、非接合領域ＮＣＲ１，ＮＣＲ２を設けた。その結果、過冷却域あるいは過熱域の冷媒との間で熱交換を行うべき水を通す水管５０は、過冷却域あるいは過熱域の冷媒を流す冷媒管４０とのみ接触する構成にした。また、二相域の冷媒との間で熱交換を行うべき水を通す水管５０は、二相域の冷媒を流す冷媒管４０とのみ接触する構成とした。これにより、過冷却域・過熱域の冷媒が流れる冷媒管４０と、二相域の冷媒が流れる中央接合領域ＣＲ２の水管との熱交換を回避することができる。
【０１２６】
（５−４）
上記実施形態に係る熱交換器１０では、非接合領域ＮＣＲ１は、上方接合領域（第１の接合領域）ＣＲ１における冷媒管４０あるいは水管５０と、中央接合領域（第２の接合領域）ＣＲ２における冷媒管４０あるいは水管５０との間に隙間を形成するための領域である。また、非接合領域ＮＣＲ２は、下方接合領域（第１の接合領域）ＣＲ３における冷媒管４０あるいは水管５０と、中央接合領域（第２の接合領域）ＣＲ２における冷媒管４０あるいは水管５０との間に隙間を形成するための領域である。
【０１２７】
すなわち、非接合領域ＮＣＲ１によって、上方接合領域（第１の接合領域）ＣＲ１と、中央接合領域（第２の接合領域）ＣＲ２との間に隙間が形成され、非接合領域ＮＣＲ２によって、下方接合領域（第１の接合領域）ＣＲ３と、中央接合領域（第２の接合領域）ＣＲ２との間に隙間が形成される。
【０１２８】
これにより、中央接合領域ＣＲ２の水管５０と、上方接合領域ＣＲ１あるいは下方接合領域ＣＲ３の冷媒管４０との熱交換を確実に回避すると共に、熱伝達率の維持を図ることができる。
【０１２９】
（６）変形例
（６−１）変形例Ａ
上記実施形態に係る熱交換器１０では、冷媒用ヘッダ４１，４２を構成する筒状部材が、連通部分ｃｓを含む。言い換えると、上記実施形態に係る筒状部材は、外部空間と連通する孔（連通孔）４１ｃ，４２ｃが形成された部分を有する。また、当該連通部分ｃｓは、非閉鎖空間ｎｒ１，ｎｒ２に対応する位置に来るように配置された。
【０１３０】
しかし、筒状部材は、連通部分ｃｓを有さなくてもよい。すなわち、図１４に示すように、冷媒用ヘッダ４１，４２の非閉鎖空間ｎｒ１，ｎｒ２は、連通孔４１ｃ，４２ｃを有さない筒状部材の部分によって囲まれるものであってもよい。これにより、熱交換器１０の強度を高めることができる。
【０１３１】
（６−２）変形例Ｂ
上記実施形態に係る熱交換器１０は、二つの非接合領域ＮＣＲ１，ＮＣＲ２を有する。非接合領域ＮＣＲ１は、過熱域の冷媒を通す冷媒管４０と二相域の冷媒を通す冷媒管４０との間に設けられ、非接合領域ＮＣＲ２は、過冷却域の冷媒を通す冷媒管４０と二相冷媒を通す冷媒管４０との間に設けられる。すなわち、非接合領域ＮＣＲ１，ＮＣＲ２は、非閉鎖空間ｎｒ１，ｎｒ２の高さ位置に配置される。
【０１３２】
ここで、非接合領域は、図１５に示すように、冷媒の流れ方向が変化する箇所の全てに設けられてもよい。
【０１３３】
但し、この場合には、熱交換器の強度を高めるために、変形例Ｂで説明したように、筒状部材が連通部分ｃｓを有さない構成であることが好ましい。
【０１３４】
（６−３）変形例Ｃ
上記実施形態に係る熱交換器１０では、各接合領域ＣＲ１，ＣＲ２，ＣＲ３において、冷媒管４０を流れる冷媒と、水管５０を流れる冷媒とが、それぞれ対向する方向に流れる。すなわち、上方接合領域ＣＲ１および下方接合領域ＣＲ３は、冷媒が第１の方向（左から右）に流れ、水が第１の方向に対向する第２の方向（右から左）に流れる。
【０１３５】
しかし、各接合領域ＣＲ１，ＣＲ２，ＣＲ３において流れる冷媒および水の方向が、同一方向であってもよい。すなわち、上方接合領域ＣＲ１および下方接合領域ＣＲ３において、冷媒が第１の方向（左から右）に流れるとき、水も第１の方向（左から右）に流れてもよい。この場合、水用入口部および水用出口部の配置は、水用ヘッダ５１，５２の長手方向において、冷媒用入口部および水用出口部と同一方向の端部に設けられていてもよい。
【０１３６】
すなわち、上記実施形態に係る熱交換器１０の構成は、熱交換器１０内を流れる冷媒が、流れ方向を変化させながら、水と熱交換を行うような場合に採用することができる。
【０１３７】
（６−４）変形例Ｄ
上記実施形態では、熱交換器１０が給湯装置１に採用された例を説明した。これにより、給湯装置１において、効果的に温水を作ることができた。ここで、上記実施形態に係る熱交換器１０は、暖房装置に採用されてもよい。これにより、暖房装置においても、効果的に温水を作ることができる。
【符号の説明】
【０１３８】
１０              熱交換器
４０              冷媒管
４１，４２        冷媒用ヘッダ（第１の冷媒用ヘッダ，第２の冷媒用ヘッダ）
４１ａ，４２ａ    仕切り部材
４１ｂ            冷媒用入口部（出入口部）
４２ｂ            冷媒用出口部（出入口部）
４１ｃ，４２ｃ    連通孔
ｃｓ              連通部分
５０              水管
５０ａ            ヘッダ構成部
５０ｃ            開口部
５０ｄ            継ぎ部
５１，５２        水用ヘッダ（第１の水用ヘッダ、第２の水用ヘッダ）
５１ｂ            水用出口部
５２ｂ            水用入口部
８０              金属プレート
ｒ１〜ｒ３，ｒ４〜ｒ６    複数の集合空間
ｒ１              第１集合空間
ｒ２              第２集合空間
ｒ３              第３集合空間
ｒ４              第１集合空間
ｒ５              第２集合空間
ｒ６              第３集合空間
ｎｒ１，ｎｒ２    非閉鎖空間
ＣＲ１            上方接合領域（第１の接合領域）
ＣＲ２            中央接合領域（第２の接合領域）
ＣＲ３            下方接合領域（第１の接合領域）
ＮＣＲ１，ＮＣＲ２    非接合領域（第１非接合領域、第２非接合領域）
【先行技術文献】
【特許文献】
【０１３９】
【特許文献１】特開２０１２−２０２６０８号公報
【図１】
2015121363.tif 000003
【図２】
2015121363.tif 000004
【図３】
2015121363.tif 000005
【図４】
2015121363.tif 000006
【図５】
2015121363.tif 000007
【図６】
2015121363.tif 000008
【図７】
2015121363.tif 000009
【図８】
2015121363.tif 000010
【図９】
2015121363.tif 000011
【図１０】
2015121363.tif 000012
【図１１】
2015121363.tif 000013
【図１２】
2015121363.tif 000014
【図１３】
2015121363.tif 000015
【図１４】
2015121363.tif 000016
【図１５】
2015121363.tif 000017